【事件の表示】
　特願２００８−５０３５４２「口内および消化管中のアセトアルデヒドを結合するための食品組成物および該組成物の製造法」拒絶査定不服審判事件〔平成１８年１０月　５日国際公開、ＷＯ２００６／１０３３１６、平成２０年　８月２８日国内公表、特表２００８−５３４００１〕について、次のとおり審決する。
【結　論】
　本件審判の請求は、成り立たない。
【理　由】
第１　手続の経緯
　
　この出願は，２００６年４月３日（パリ条約による優先権主張外国庁受理２００５年４月１日，フィンランド（ＦＩ））を国際出願日とする出願であって，以降の手続の経緯は以下のとおりのものである。
　
　平成２１年　１月２８日　　　手続補正書
　平成２２年　６月　３日付け　拒絶理由通知書
　平成２２年１１月１１日　　　意見書・手続補正書
　平成２３年　２月２４日付け　拒絶査定
　平成２３年　７月　１日　　　審判請求書・手続補正書
　平成２３年　８月１７日　　　手続補正書（方式）
　平成２４年　９月２８日付け　審尋
　平成２５年　２月２７日　　　回答書
　
第２　平成２３年７月１日付けの手続補正についての補正の却下の決定
　
[補正の却下の決定の結論]　
　平成２３年７月１日付けの手続補正は却下する。
　
[理由]
１　本件補正
　
　平成２３年７月１日付けの手続補正（以下，「本件補正」という。）は，本件補正前の
　
「【請求項１】
　少なくとも１種のアセトアルデヒド結合性化合物が添加されており，該アセトアルデヒド結合性化合物が１個以上の遊離スルフヒドリルおよびアミノ基を含み，そしてＬ−システイン，Ｄ−システイン，システイン酸，システイン　グリシン，トレオ−またはエリトロ−β−フェニル−ＤＬ−システイン，β−テトラメチレン−ＤＬ−システイン，メチオニン，Ｌ−アスコルビン酸，Ｄ−ペニシラミンおよびＮ末端を有するそのジペプチド，セミカルバジド，還元グルタチオン，β−メルカプトエチルアミン，Ｄ,Ｌ−ホモシステイン，Ｎ−アセチルシステイン，Ｌ−システイニル−Ｌ−バリン，β−β−テトラメチレン−ＤＬ−システイン，システイニル−グリシン，メルカプトエチルグリシン，ｔｒｅ−(５)−β−フェニル−ＤＬ−システイン，エリトロ−β−フェニルＤＬ−システイン，塩酸システイン，塩酸チアミン，またはこれらの化合物のいずれかの塩，またはシステインの誘導体もしくは塩から成る群から選択されることを特徴とする，食品組成物；ただし，当該食品組成物はチョコレート，茶，ココアおよびコーヒーから選択される芳香成分含有組成物ではない。」を，
　
「【請求項１】
　少なくとも１種のアセトアルデヒド結合性化合物が，
持続された態様で該化合物が胃内に放出されることを可能にする形で
の塩
癌発症の危険性を減少させるための
く，かつかかるアルデヒド結合性化合物は芳香改良剤ではない
　
とする補正を含むものである。なお，下線は補正箇所を示す。
　
２　本件補正の適否
　
（１）補正の目的の適否
　
　本件補正は，請求項１に係る発明について，請求項１に記載した発明を特定するために必要と認める事項である，「少なくとも１種のアセトアルデヒド結合性化合物が添加され」る形式を，補正前の請求項１６に記載された「持続された態様で該化合物が胃内に放出されることを可能にする形で」に限定し，「システインの誘導体もしくは塩」を「システインの塩」に限定し，及び，「食品組成物」の用途を，願書に添付された特許請求の範囲の請求項３６に記載された「癌発症の危険性を減少させるための」ものに限定するものである。加えて，「アセトアルデヒド結合性化合物」の用途につき，芳香改良剤ではないものとすることはアセトアルデヒドとの結合を目的とするものであるから，芳香改良剤として用いられることを除外しても新たな技術的事項が導入されることはなく，「明細書又は図面に記載した事項の範囲内において」するものということができることから，「かかるアルデヒド結合性化合物は芳香改良剤ではない」と限定するものである。
　そして，その補正前の請求項１に記載された発明と補正後の請求項１に記載される発明の産業上の利用分野及び解決しようとする課題が同一であるから，平成１８年法律第５５号改正附則第３条第１項によりなお従前の例によるとされる同法による改正前の特許法（以下，「平成１８年改正前特許法」という。）第１７条の２第４項第２号の特許請求の範囲の減縮を目的とするものに該当する。
　
（２）独立特許要件について
　
　そこで，本件補正後の前記請求項１に記載されている事項により特定される発明（以下，「本願補正発明」という。なお，本件補正後の明細書を，以下，「本願補正明細書」という。）が，特許出願の際独立して特許を受けることができるものであるか（平成１８年改正前特許法第１７条の２第５項において準用する同法第１２６条第５項の規定に適合するか）否かについて，以下検討する。
　
（２−１）本願補正発明
　
　本願補正発明は，以下のとおりである。
　
「少なくとも１種のアセトアルデヒド結合性化合物が，持続された態様で該化合物が胃内に放出されることを可能にする形で添加されており，該アセトアルデヒド結合性化合物が１個以上の遊離スルフヒドリルおよびアミノ基を含み，そしてＬ−システイン，Ｄ−システイン，システイン酸，システイン　グリシン，トレオ−またはエリトロ−β−フェニル−ＤＬ−システイン，β−テトラメチレン−ＤＬ−システイン，メチオニン，Ｌ−アスコルビン酸，Ｄ−ペニシラミンおよびＮ末端を有するそのジペプチド，セミカルバジド，還元グルタチオン，β−メルカプトエチルアミン，Ｄ,Ｌ−ホモシステイン，Ｎ−アセチルシステイン，Ｌ−システイニル−Ｌ−バリン，β−β−テトラメチレン−ＤＬ−システイン，システイニル−グリシン，メルカプトエチルグリシン，ｔｒｅ−(５)−β−フェニル−ＤＬ−システイン，エリトロ−β−フェニルＤＬ−システイン，塩酸システイン，塩酸チアミン，またはこれらの化合物のいずれかの塩，またはシステインの塩から成る群から選択されることを特徴とする，癌発症の危険性を減少させるための食品組成物；ただし，当該食品組成物はチョコレート，茶，ココアおよびコーヒーから選択される芳香成分含有組成物ではなく，かつかかるアルデヒド結合性化合物は芳香改良剤ではない。」
　
（２−２）刊行物及びその記載事項
　
ア　刊行物
　
　特表２００４−５１２３５３号公報（原査定における引用文献２。以下，「刊行物１」という。）
　特表２００４−５１９５５０号公報（原査定における引用文献１。以下，「刊行物２」という。）
　
イ　刊行物の記載事項
　
（ア）本願優先日前に頒布された刊行物である刊行物１には，以下の事項が記載されている。なお，下線は当審で付与した。以下，同様。
　
１ａ「【請求項２８】　
　
胃からのアセトアルデヒドを結合するための医薬組成物であって，
−
組成物が，薬学的に許容される担体に結合されるＬおよび／またはＤ−システインを含み，そして
−
担体が，アセトアルデヒド結合物質が胃中に０.５−８時間放出されるように，システインの放出速度を調節する，
こ
とを特徴とする組成物
【請求項３０】　
　
アセトアルデヒドに起因する
胃
での癌の発生の危険性を低下さす方法であって
胃
においてエタノールから微生物により産生されたアセトアルデヒドを，請求項
２７−２９のいずれかの医薬組成物を用いて，摂取アルコール性飲料に関連して該医薬組成物を摂取することにより無害の形態に局所的に結合することを特徴とする方法
　
１ｂ「【０００１】
　本発明の対象は，唾液，
胃
におけるアセトアルデヒドを局所的に結合するための医薬組成物
胃
での癌の発生の危険性を低下さすための
請求項２８の前文に従う方法
【０００２】
　
アセトアルデヒドが動物で癌を起こすことが知られている
【０００３】
　生物体において，アセトアルデヒドが，アルコールから肝代謝の結果として形成され，最近の研究によると，消化管において局所的に細菌性アルコール・デヒドロゲナーゼにより形成される（Salaspuro et al, (1996) Ann Med 28: 195-200)。
【０００４】
　エタノールの中程度の摂取後，例えば，細菌源のアセトアルデヒドの高含量がヒトの唾液で見られる。換言すれば，アセトアルデヒドは唾液中に細菌代謝の中間産物として生成する（Homann et al, Carcinogenesis (1997) 18: 1739-1743)。
【０００５】
　アセトアルデヒドはまた，胃中に酸が存在しないか，薬物により酸が除去されたような状態において，微生物代謝の結果として胃中で生成する（Vaekevaeinen
 et al, (2000) Alimentary Pharmacology Therapeutics, in press)。さらに，アセトアルデヒドが大腸で生成することが知られている。正常な菌相を示す腸細菌がエタノールをアセトアルデヒドに転換し得るからである（Jokelainen et al, (1996) Gut 39: 100-104)。
【０００６】
　ヒトが排出する唾液の１日平均量は１.５リットルである。唾液により含有されるアセトアルデヒドの影響範囲は，口腔，咽頭，食道，胃である。
　摂取されたアルコールと関連して生物体のアセトアルデヒド最高含量が大腸内容物および唾液中に生じる。
【０００７】
　内因性エタノール，すなわち腸管において酸素のない状態で微生物の影響により生じるエタノールも腸管中に見られる。このエタノールが，例えば，粘膜の近くで酸素に接触すると，アセトアルデヒドが生成する。
　アセトアルデヒドはまた，口腔，咽頭，上気道で喫煙および空気汚染への曝露の結果として形成する。慢性的喫煙が微生物源の唾液でのアセトアルデヒドの産生を増加する。」
　
１ｃ「【００１２】
　本発明の対象は，唾液のアセトアルデヒド含量を低下せしめまたは無くし，その結果として咽頭，食道，胃のアセトアルデヒド含量，および口腔や消化管の領域および上気道からの大腸および胃のアセトアルデヒド含量を別個に低下せしめまたは無くすための方法および製剤を提供することである。
本発明の使用，組成物，方法は，アルコール性飲料の摂取および喫煙に関連して生じて，増加したアセトアルデヒドを局所的に結合するのに非常に有用である。原則的に，アセトアルデヒドは，いかなる源，例えばアセトアルデヒド含有の食物から生成し得る。アセトアルデヒドは食物に含有されるエタノールから，あるいは生物体内で生じる内因性エタノールから形成し得る。本発明の目的は，口腔および消化管中のアセトアルデヒドが原因となるこれらの領域での癌に罹る危険性を低下さすことにある
【００１３】
　本発明は，唾液，胃，大腸において局所的に生成する有害量のアセトアルデヒドが，本発明の製剤を用いることにより，局所的に，迅速に，高濃度で化学的に安全な形態になるとの驚くべき知見に基づいている。
結合する物質がアセトアルデヒドの全作用期間を通じて十分高い量で放出されるので，局所のアセトアルデヒド量は低いままである。このように，アセトアルデヒドによる癌に罹る危険性が減少する
【００１４】
　さらに正確には，本発明の使用は，請求項１の特徴部分で述べたことを特徴とする。
　本発明により，１以上のスルフヒドリルおよび／またはアミノ基を含む化合物を用いて医薬化合物を調製し，これを，唾液，胃，大腸においてアセトアルデヒドを局所的に結合するのに用いる。」
　
１ｄ「【００１８】
　
本発明は大きい利点を提供する。アセトアルデヒド結合物質を含む医薬組成物を用いて，口腔，咽頭，食道，胃，大腸の癌が発生する危険性を減少できる。特に，本発明の組成物を，アルコールの大量摂取者，およびとりわけ，アルデヒドデヒドロゲナーゼ-２（ＡＬＤＨ２）酵素の家族性低活性改変を有する者に使用できる。本発明の組成物の使用は，中程度量のアルコールを摂取する者または少量のアルコールやアルデヒドを含有する食物を摂取する者にとっても利点がある。さらに，本発明の組成物の使用は喫煙者にも利益をもたらす
【００２１】
　「
アセトアルデヒド結合物質」は，１以上の遊離のスルフヒドリル，アミノまたはヒドロキシル基を含む化合物を意味する
　システインおよびその誘導体が本発明の目的に特に適している。本発明の使用において最も適したアミノ酸はＬおよびＤ-システインである。
【００２２】
「アセトアルデヒドの結合」は，アセトアルデヒドと遊離のスルフヒドリルおよび/またはアミノ基を有する化合物との化学反応を意味する。ここでは，アセトアルデヒドが「アセトアルデヒド結合物質」と一緒になって大きい分子をつくり，反応中に水が形成する。例えば，システインとの反応において，アセトアルデヒドは，スルフヒドリルおよびアミノ基の両方に結合し，２-メチル-Ｌ-チアゾリジン-４-カルボン酸と水を形成する。アセトアルデヒドはほとんどすべてのタンパク質のアミノ基に結合でき，シッフの塩基または２-メチルイミダゾール環が形成する。
　本発明により，化学結合によってアセトアルデヒドから得られた化合物は生物体に安全である。
【００２３】
　生物体においてアセトアルデヒドを結合するのに適する化合物は，下記式（Ｉ）の化合物も含む。
【化２】　（省略）
【００２４】
　下記式の物質はアセトアルデヒドを結合し得る。
　Ｒ−ＮＨ２　　(II）
　式中，Ｒはタンパク質（例えば，ヘモグロビン，アルブミン，ツブリン）から誘導される。
【００２５】
　式（II）の化合物とアセトアルデヒドとの反応において，下記式（III）のシッフの塩基が形成する。
　Ｒ−Ｎ＝ＣＨＣＨ３　　（III）
　式中，Ｒはタンパク質（例えば，ヘモグロビン，アルブミン，ツブリン）から誘導される。
【００２６】
　アセトアルデヒドに適切に結合し，遊離のスルフヒドリル（ＳＨ）および／またはアミノ（ＮＨ２）基を含有するアミノ酸などの化合物は，下記のものを含む：Ｌ-システイン，Ｄ-システイン，システイン酸，システイン・グリシン，トレオまたはエリトロ-β-フェニル-ＤＬ-システイン，β-テトラメチレン-ＤＬ-システイン，メチオニン，Ｄ-ペニシラミンおよびＮ末端をもつそのジペプチド，セミカルバジド，還元グルタチオン，β-メルカプトエチルアミン，Ｄ,Ｌ-ホモシステイン，Ｎ-アセチルシステイン，Ｌ-システイニル-Ｌ-バリン，β-β-テトラメチレン-ＤＬ-システイン，システイニルグリシン，メルカプトエチルグリシン，トレ-(５)-β-フェニル-ＤＬ-システイン，エリトロ-β-フェニル-ＤＬ-システイン，塩酸チアミン，メタ亜硫酸水素ナトリウム，アルギニン，グリシン，リシン，メルカプタン。
　しかし，本発明の量で健康に害を及ぼさないようなアセトアルデヒド結合化合物のみが本発明の製剤に適している。
【００２７】
「アセトアルデヒドの長時間結合」は，アセトアルデヒド含量を少なくとも３０分間，好ましくは６０分間以上，最も好ましくは１２０分間以上，有害と考えられる限界以下で，好ましくは医薬組成物を使用しない場合より低い有害レベルで，保持することを意味する。
【００２８】
「アセトアルデヒドの有害／癌原性量」は，ヒトの口腔，食道，胃，大腸において，唾液または腸内容物の２０−８００μモル／ｌである。
　医薬組成物を使用しない場合よりも基本的に低くアセトアルデヒド量を保持することは，医薬組成物を使用しないときよりも少なくとも２０％，好ましくは４０％以上，最も好ましくは６０％以上低いレベルにアセトアルデヒド量を保持することを意味する。
【００２９】
　
ヒトの口腔，食道，胃，大腸におけるアセトアルデヒドの有害量または癌原性量は，アルコール性飲料，特に強いアルコール性飲料やアルコールを含有する食物の摂取，喫煙の結果，アセトアルデヒド含有物の摂取に関連して生じ得る
【００３０】
　
「アルコール性飲料」はエタノール含有飲料であって，エタノール含量が０.７容量％から８４容量％の間である
　
「アルコール性食物」は，少なくとも０.７％のエタノールを含有する食物を意味する。このような食物は，例えば，発酵ジュースまたはジャム，少量のアルコールによる保存食品，蒸留酒などのアルコール含有物で味付けしたペーストリーやジェリー，ムースでもある
【００３１】
　
本発明の製剤の使用は，少量のアルコールを含有する軽いアルコール飲料や食物を摂取するときにも利点がある。ある種の食物はすでにアセトアルデヒドを含有していることがある。発酵に関連して生じるアルコールを有するアセトアルデヒド含有食物は，例えば，ビール，リンゴ酒，ワイン，自家製ビールなどのアルコール性飲料および多くのジュースである。アルコール性飲料として，シェリーが特に大量のアセトアルデヒドを含有する
【００３２】
　本明細書における「アルコール摂取に関連して」は，アルコール類の飲み始めから血中にアルコールが存在しない時までの時間についての期間を意味する。
　本明細書における「喫煙に関連して」は，喫煙の開始からその終了までの時間についての期間を意味する。」
　
１ｅ「【００４０】
　胃に作用する医薬製剤
「胃に対する局所作用を有する長時間作用製剤」は，胃液によって湿り，胃の粘膜に接着するか，または胃の内容物中に浮遊して，胃中での存在が長くなり，胃中での長い放出および薬物の局所作用を確実にするような，すべてのモノリシック（一体式）または多様式の錠剤，カプセル，顆粒を意味する。胃に局所的に作用し得る長時間作用製剤は，経口服用される液体（混合物）であり得，その物理的構造がゲルでもあり得る。
【００４１】
　胃に対する局所作用を有する医薬組成物に必要な特殊な性質は，医薬組成物ができるだけ長く胃に留まることである。技術的に，このことは２つの方法で解決できる。胃の粘膜に接着する製剤をつくるか，胃の内容物中に浮遊する製剤をつくるかである。製剤を胃の粘膜に固着さすには，添加物としてキトサンなどのカチオン性ポリマーを用いる。胃中に浮遊する製剤は，ゲルを形成するポリマー（例えば，アルギン酸）を用いて，また製剤に炭酸水素ナトリウムを加えて準備する。炭酸水素ナトリウムは胃酸の影響で二酸化炭素を放出し，そしてゲル中に気泡を形成する。胃中に浮遊する液状ゲルはまた，アルギン酸ナトリウム，水酸化アルミニウム，炭酸水素ナトリウム，およびアセトアルデヒド結合化合物を加える得る水から調製できる。対応する液体製剤は，アセトアルデヒド結合物質をキトサンの分散液に加えることでも得ることができる。胃に長時間留まる他の製剤は，ＨＢＳ（商標)(水動力学的均衡系）として知られる製剤である。比較的大きな錠剤をつくり（直径が少なくとも７−１０ｍｍ)，消化管で分解しないが，例えば，そこに作られた孔から有効物質を放出する（Ｏｒｏｓ（商標)）ようなフィルムで被膜するときに，その製剤は胃中に長時間留まり得る。しかし，必要条件は，このような製剤が食後に服用されることである。
【００４２】
　胃に対する局所作用を有する医薬組成物の一回用量は，５０−５００ｍｇのアセトアルデヒド結合物質を含み，その好ましい量は５０−３００ｍｇ，最も好ましい量は１００−２００ｍｇである。
【００４３】
　必要なときに，投与を４−１０時間間隔で，好ましくは６−８時間間隔で繰り返す。胃の状態で放出される化合物の量は，１時間で好ましくは４０−８０ｍｇである。
【００４４】
　胃で放出される本発明の製剤は，少なくとも１つのポリマー，多くの場合２つのポリマーを有する。ポリマーは，製剤を胃の粘膜に接着するか，胃内容物に浮遊するゲルを形成して，薬物を胃中でできるだけ長く，最小で２時間保持するのに働く。ポリマーの別の働きは有効物質の放出を延長することである。
【００４５】
　胃中で局所的にアセトアルデヒドを結合する製剤は，胃中でゲルを形成する錠剤またはゲルを形成する粉末や顆粒の混合物を含むカプセルであり得る。アセトアルデヒド結合物質に加えて，製剤は，胃中でゲルを形成するポリマー，例えば，キトサン，アルギン酸塩，カルボキシメチルセルロースナトリウム，カルボマー，水酸化アルミニウムなどを含有する。胃中での浮遊を促進するために，製剤は炭酸水素ナトリウムも含有することがある。
【００４６】
　製剤中のポリマーの量は，１０−５０％，好ましくは１５−４０％，最も好ましくは２０−３０％である。炭酸水素ナトリウムの量は，ポリマー量の１０−３０％，好ましくは２０％である。
【００４７】
　胃中でアセトアルデヒドを局所的に結合する製剤は，錠剤または顆粒であり得る。そこでは，アセトアルデヒドが必要な充填剤と混合され，ついで結合剤としての腸溶性ポリマーで顆粒化されている。使用される結合剤は，いかなる既知のポリマーであってよく，好ましくは溶液ｐＨ６−７のポリマーである。最も好ましいポリマーは，メタアクリル酸誘導体であって，商標名 Eudragit L および Eudragit S で知られている。製剤中の腸溶性ポリマーの量は，好ましくは２−５％，最も好ましくは３−４％である。
【００４８】
　胃中でアセトアルデヒドを局所的に結合する製剤は，液剤であり得る。すなわち，アセトアルデヒド結合物質に加えて，アルギン酸ナトリウム，水酸化アルミニウム，炭酸水素ナトリウム，および水を含む混合物である。製剤全体の水の量は，７０−９０％，最も好ましくは約７５−８５％である。製剤中のアルギン酸ナトリウムの量は，好ましくは２−１０％，最も好ましくは約５％であり，水酸化アルミニウムの量は，好ましくは５−１５％，最も好ましくは約１０％である。
【００４９】
　顆粒を含む製剤の相対的組成は，例えば下記のとおりである：
　　　　　アセトアルデヒド結合物質　　　　　　　６０部
　　　　　キトサン　　　　　　　　　　　　１０−４０部
　　　　　リン酸水素カルシウム　　　　　　　０−３０部
【００５０】
　液剤の相対的組成は，例えば下記のとおりである：
　　　　　アセトアルデヒド結合物質　　　　　　　１０部
　　　　　アルギン酸ナトリウム　　　　　　　２−１０部
　　　　　水酸化アルミニウム　　　　　　　　５−１５部
　　　　　炭酸水素ナトリウム　　　　　　　　　１−２部
　　　　　水　　　　　　　　　　　　　　　７０−８０部　」
　
１ｆ「【００６９】　
　実
施例３
　胃
でアセトアルデヒドを結合する局所的長時間作用医薬製剤は，下記のように，アセトアルデヒドによる癌の危険性を低下さすために，調製および使用する
　胃でアセトアルデヒドを局所的に結合する製剤の相対的組成は，例えば，下記のとおりである：
　　　　　システイン　　　　　　　　　　　６０部
　　　　　キトサン　　　　　　　　　１０−４０部
　　　　　リン酸水素カルシウム　　　　０−３０部
【００７０】
　粉末混合物を製薬工業で用いられている通常のミキサー（例えば，ブレンダー）で混合する。ついで，粉末混合物を，顆粒化液として２.５％酢酸を用いて，顆粒にする。顆粒化液は同じブレンダーに加え得る。湿った粉末の塊を，スクリーンプレートまたは穴明きプレート（開き口の直径２ｍｍ）を通して圧縮した。形成した顆粒を乾燥し，スクリーンした。スクリーン・フラクション１.２−１.７ｍｍを取りだし，システイン含量が１００ｍｇになるように硬ゼラチンカプセル中に分散した。
【００７１】
　上記のように調製した錠剤を服用して，アルコール性飲料の摂取などで，胃のアセトアルデヒド含量の増加を起こしやすい場合に，アセトアルデヒドにより局所的に起こされた癌の危険性を低下さす。投与は，血中にアルコールが存在する限り４〜６時間の間隔で行う。
【００７２】
　実施例４
　大腸でアセトアルデヒド結合物質を長時間に放出する医薬組成物は，下記のように，アセトアルデヒドによる癌の危険性を低下さすために，調製および使用できる。
　所望のように腸溶性顆粒を含み，アセトアルデヒドを結合する腸溶性錠剤の組成は，例えば，下記のとおりである：
　　腸溶性顆粒：システイン　　　　　　　　　　　１００ｍｇ
　　　　　　　　リン酸水素カルシウム　　　　　　　４０ｍｇ
　　　　　　　　Eudragit-S　　　　　　　　　　　　　５ｍｇ
　　　　　　　　Aqoat AS-HF 　　　　　　　　　　　４０ｍｇ
　　腸溶性錠剤：腸溶性顆粒　　　　　　　　　　　１８５ｍｇ
　　　　　　　　微結晶性セルロース　　　　　　　１８５ｍｇ
　　　　　　　　ステアリン酸マグネシウム　　　　　　４ｍｇ
　　　　　　　　タルク　　　　　　　　　　　　　　　４ｍｇ
　　　　　　　　Aqoat AS-HF　　　　　　　　　　　４０ｍｇ
【００７３】
　システインおよび充填剤として働くリン酸水素カルシウムを一緒に混合する。Eudragit S をエタノールに溶解し（２０％溶液)，溶液を用いて粉末混合物を湿らす。湿った塊を顆粒に圧縮する。乾燥顆粒をスクリーンし，１.２−１.７ｍｍの顆粒フラクション Aqoat AS-HF で被膜する。被膜液の組成は次のとおり：Aqoat AS-HF １０％，クエン酸トリエチル３.５％，ステアリン酸マグネシウム３％，水８３.５％。被膜された顆粒を微結晶性セルロース（例えば，Emcocel LP 200 (商標))と混合し，最後に滑沢剤：ステアリン酸マグネシウムおよびタルクを混合物に加える。次いで，混合物を打錠し，最後に顆粒の場合と同様にして錠上に腸溶性被膜をつくる。すべての操作段階において，ミキサー，顆粒機，スクリーン装置，フィルム被膜装置，打錠機は，製薬工業で通常使用されているものを使用できる。
【００７４】
上記のように調製した錠剤を，アルコール性飲料の摂取とともに経口投与する。
　
（イ）本願優先日前に頒布された刊行物である刊行物２には，以下の事項が記載されている。
　
２ａ「【請求項１】
　
望ましいフレーバーまたは官能特性の量が増加した芳香を放出する芳香含有成分の調製方法であって，芳香含有成分を，芳香含有成分と会合した化合物と化学的に相互作用する芳香改良剤で処理して，(a)芳香の所望なフレーバーまたは官能特性を供給または改良する化合物の量が増加し，または(b)所望なフレーバー特性を抑制するか，または望ましくない特性に寄与するか，またはそれを生成させる化合物の量が減少した改良芳香を生成することを含んでなる上記方法
【請求項７】
　
芳香改良剤がシステイン
を含んでなる，請求項1に記載の方法
【請求項８】
　芳香改良剤を，続いて加工処理して改良芳香を得る物質に加える，請求項1に記載の方法。
【請求項９】
　
物質がコーヒー豆である，請求項8に記載の方法
　
２ｂ「【００７５】　
・・また，
粉末または粉末混合物は，所望ならば，消費の予定時間によって室温以下で保管することができる。この種の配置は，冷たいまたは熱い粉末飲料（すなわち，NESQUIK，ココア，フレーバー付き粉乳，またはフルーツドリンクミックス），プリン，スープミックス，ソースまたはグレービーソースミックス，およびもちろんのことであるが，あらゆる種類のインスタントまたは即席コーヒー製品のような製品に有用である。
　
２ｃ「【０１０３】　
・・また，
改良芳香含有成分は，多種多様な食物または飲料製品が室温で，冷却または凍結し，または加熱した後に消費されるかどうかに関わらず，これらの製品のいずれか一つに添加することができる。典型的製品としては，コーヒー粉末，即席飲料ミックス，キャンディー，ケーキフロスティング，またはアイスクリーム，並びに製品処方者の想像力と創造性とによってのみ限定される多くの他のものが挙げられる
　
（２−３）刊行物１に記載された発明
　
刊行物１の特許請求の範囲の請求項２８（１ａ）からみて，刊行物１には，
　
「胃からのアセトアルデヒドを結合するための医薬組成物であって，
−組成物が，薬学的に許容される担体に結合されるＬおよび／またはＤ−システインを含み，そして
−担体が，アセトアルデヒド結合物質が胃中に０.５−８時間放出されるように，システインの放出速度を調節する，
組成物。」
　
の発明（以下，「引用発明」という。）が記載されていると認められる。
　
（２−４）本願補正発明と引用発明との対比
　
ア　引用発明の「Ｌおよび／またはＤ−システイン」は，刊行物１の記載（１ｄ）より，１以上の遊離のスルフヒドリル及びアミノ基を含む化合物である「アセトアルデヒド結合物質」といえる。
　そうすると，引用発明の「アセトアルデヒド結合物質」である「Ｌおよび／またはＤ−システイン」は，本願補正発明の「少なくとも１種のアセトアルデヒド結合性化合物が」「１個以上の遊離スルフヒドリルおよびアミノ基を含み，そしてＬ−システイン，Ｄ−システイン，システイン酸，システイン　グリシン，トレオ−またはエリトロ−β−フェニル−ＤＬ−システイン，β−テトラメチレン−ＤＬ−システイン，メチオニン，Ｌ−アスコルビン酸，Ｄ−ペニシラミンおよびＮ末端を有するそのジペプチド，セミカルバジド，還元グルタチオン，β−メルカプトエチルアミン，Ｄ,Ｌ−ホモシステイン，Ｎ−アセチルシステイン，Ｌ−システイニル−Ｌ−バリン，β−β−テトラメチレン−ＤＬ−システイン，システイニル−グリシン，メルカプトエチルグリシン，ｔｒｅ−(５)−β−フェニル−ＤＬ−システイン，エリトロ−β−フェニルＤＬ−システイン，塩酸システイン，塩酸チアミン，またはこれらの化合物のいずれかの塩，またはシステインの塩から成る群から選択される」ものから，「Ｌ−システイン」及び「Ｄ−システイン」を選択したものに相当する。
　
イ　引用発明の「アセトアルデヒド結合物質が胃中に０.５−８時間放出されるように，システインの放出速度を調節」されたものは，アセトアルデヒド結合物質であるＬおよび／またはＤ−システインが，０.５−８時間という持続した時間，胃内に放出されることを可能とするよう調節された態様といえるから，本願補正発明の「少なくとも１種のアセトアルデヒド結合性化合物が，持続された態様で該化合物が胃内に放出されることを可能にする形」に相当する。
　
ウ　引用発明の「胃からのアセトアルデヒドを結合するための医薬組成物」と，本願補正発明の「癌発症の危険性を減少させるための食品組成物」とは，組成物である点で共通する。
　
エ　さらに，引用発明の「胃からのアセトアルデヒドを結合するための医薬組成物」は，医薬組成物であり，且つ，胃からのアセトアルデヒドを結合するためのものであるから，芳香改良剤とは何ら関係無く異なることも明らかである。
　そうすると，引用発明の「胃からのアセトアルデヒドを結合するための医薬組成物」は，本願補正発明の「かかるアルデヒド結合性化合物は芳香改良剤ではないもの」に相当する。
　
　そうすると，両者は，
　
「少なくとも１種のアセトアルデヒド結合性化合物が，持続された態様で該化合物が胃内に放出されることを可能にする形で添加されており，該アセトアルデヒド結合性化合物が１個以上の遊離スルフヒドリルおよびアミノ基を含み，そしてＬ−システイン，Ｄ−システイン，システイン酸，システイン　グリシン，トレオ−またはエリトロ−β−フェニル−ＤＬ−システイン，β−テトラメチレン−ＤＬ−システイン，メチオニン，Ｌ−アスコルビン酸，Ｄ−ペニシラミンおよびＮ末端を有するそのジペプチド，セミカルバジド，還元グルタチオン，β−メルカプトエチルアミン，Ｄ,Ｌ−ホモシステイン，Ｎ−アセチルシステイン，Ｌ−システイニル−Ｌ−バリン，β−β−テトラメチレン−ＤＬ−システイン，システイニル−グリシン，メルカプトエチルグリシン，ｔｒｅ−(５)−β−フェニル−ＤＬ−システイン，エリトロ−β−フェニルＤＬ−システイン，塩酸システイン，塩酸チアミン，またはこれらの化合物のいずれかの塩，またはシステインの塩から成る群から選択される，組成物；ただし，かかるアルデヒド結合性化合物は芳香改良剤ではない。」
　
である点で一致し，以下の点で相違するといえる。
　
（ア）組成物の用途が，本願補正発明では，癌発症の危険性を減少させるためのものであるのに対し，引用発明では，胃からのアセトアルデヒドを結合するためのものである点。(以下，「相違点（ア）」という。)
　
（イ）組成物が，本願補正発明では，食品組成物であるのに対し，引用発明では，医薬組成物である点。(以下，「相違点（イ）」という。)
　
（ウ）組成物が，本願補正発明では，チョコレート，茶，ココアおよびコーヒーから選択される芳香成分含有組成物ではないのに対し，引用発明ではその点が明らかでない点。(以下，「相違点（ウ）」という。)
　
（２−５）相違点についての判断
　
ア　相違点について
　
（ア）相違点（ア）について
　
　引用発明は，胃におけるアセトアルデヒドを局所的に結合するための組成物であり（１ｂ【０００１】），刊行物１の１ｃの記載事項からみて，胃でアセトアルデヒドを該結合物質であるＬおよび／またはＤ−システインに結合させることにより，アセトアルデヒドが原因となる胃での癌に罹る危険性を低下させる作用があると理解される。
　引用発明における組成物の用途は「胃からのアセトアルデヒドを結合するための」ものであるが，実質的には，胃からのアセトアルデヒドを該結合物質であるＬおよび／またはＤ−システインで結合することにより，結果として，アセトアルデヒドが原因となる癌発症の危険性を減少せるものである。
　そうすると，引用発明における組成物の用途を，胃からのアセトアルデヒドを結合するために代えて，その結果として生じる作用に注目して，癌発症の危険性を減少させるためとすることは，当業者が容易になし得たことである。
　
（イ）相違点（イ）について
　
　刊行物１には，「アセトアルデヒドが動物で癌を起こすことが知られている」（１ｂ）と記載されているように，アセトアルデヒドは発癌性の物質であることが示されている。
　さらに，刊行物１には，食物とアセトアルデヒドとの関係について，
（ｉ）「原則的に，アセトアルデヒドは，いかなる源，例えばアセトアルデヒド含有の食物から生成し得る。アセトアルデヒドは食物に含有されるエタノールから，あるいは生物体内で生じる内因性エタノールから形成し得る。」（１ｃ【００１２】）と記載され，アセトアルデヒド含有食物のみならず，エタノール含有食物等からアセトアルデヒドが生じ得ることが示されている。
（ｉｉ）「ある種の食物はすでにアセトアルデヒドを含有していることがある。発酵に関連して生じるアルコールを有するアセトアルデヒド含有食物は，例えば，ビール，リンゴ酒，ワイン，自家製ビールなどのアルコール性飲料および多くのジュースである。アルコール性飲料として，シェリーが特に大量のアセトアルデヒドを含有する。」（１ｄ【００３１】）との記載もあり，発酵に関連して生じるアルコール性飲料やジュースを含有する食品には，アセトアルデヒドが含有している場合があることも示されている。
　
　ところで，刊行物１に記載の引用発明の目的は，「本発明の目的は，口腔および消化管中のアセトアルデヒドが原因となるこれらの領域での癌に罹る危険性を低下さすことにある。」（１ｃ【００１２】）と記載されていることから，上記食物に含まれる発癌性物質であるアセトアルデヒドを，引用発明の「胃からのアセトアルデヒドを結合する」ものである「薬学的に許容される担体に結合されるＬおよび／またはＤ−システイン」が持続的に胃中に放出されるように添加させ，胃中のアセトアルデヒドが原因となる胃での癌に罹る危険性を低下させることと理解される。
　
　上記（ｉ）（ｉｉ）より，食物にアセトアルデヒドが含有されている，又は，エタノール含有食物等を摂取することによりアセトアルデヒドが生成されること，及び，引用発明の医薬組成物はアセトアルデヒド結合物質が長時間持続して胃内に放出されるよう調節されているものであるから，胃内の上記食物が存在する所に引用発明の医薬組成物が共に存在しないとその効力が発揮されないことは自明な事項である。それを示すように，大腸でアセトアルデヒド結合物質を長時間放出する医薬組成物ではあるものの，刊行物１には「上記のように調製した錠剤を，アルコール性飲料の摂取とともに経口投与する。」（１ｆ【００７４】）という態様も示されている。このように，上記食物と共に引用発明の医薬組成物を摂取すれば，確実に，胃内で上記食物と引用発明の医薬組成物は共存する状態となる。　
　また，一般に，システインは，必須アミノ酸の一種であり，安全性が高く副作用が殆どないものであって，従来から，食品への添加物質として用いられてきたことは，刊行物ＡないしＣの記載からも明らかなように，本願優先日前より周知事項であった。
　
　そうすると，引用発明において，飲料を含む食品を摂取することにより生じるアセトアルデヒドを局所的に結合し，胃中のアセトアルデヒドが原因となる胃での癌に罹る危険性を低下させる目的の下，アセトアルデヒド結合物質であるシステインを，胃内で食物と共に存在させることを確実にする，食物に添加して用いる食品組成物とすることは，当業者が容易に想到し得たものといえる。
　
　刊行物Ａ：特開昭６３−７７９０号公報
「
Ｌ−システインは医薬あるいは医薬原料，食品添加物，化粧品添加物などとして有用な化合物であり
Ｓ元素含有のアミノ酸
　
　刊行物Ｂ：特開２００４−１８４１８号公報
「【００２４】
　本発明において，Ｌ−メチオニン及び
Ｌ−システインはともに必須アミノ酸であるので，本発明の星細胞活性化抑制剤及び臓器線維化抑制剤は，安全で，副作用が生じるおそれがない。また，経口摂取することが可能であり，各種医薬品，食品，栄養剤等に添加して用いることができる
　
　刊行物Ｃ：特開２００４−５９４８８号公報
Ｃ１「【請求項１】ビタミンＣ，
Ｌ−システイン
を含む乳酸菌整腸組成物
【請求項３】
還元性成分がＬ−システインおよびビタミンＣである請求項１記載の乳酸菌整腸組成物
【請求項４】
請求項１または２記載の乳酸菌整腸組成物を含有する食品
　
Ｃ２「【０００９】
実
施例２（粉末ココア飲料
　
粉末ココア飲料として以下の配合の乳酸菌組成物（混合粉末）を調製した
L-システイン
【００１０】
実
施例３（医薬品）
　医
薬品として以下の配合の乳酸菌組成物（錠剤）を調製した
ビタミンB2 0.2kg，ビタミンC ７kg，
L-システイン
　
（ウ）相違点（ウ）について
　
　引用発明は医薬組成物であり，通常，チョコレート，茶，ココア又はコーヒーの芳香成分が含有される組成物としては用いられないものである。
　そうすると，引用発明を，チョコレート，茶，ココアおよびコーヒーから選択される芳香成分含有組成物ではないとすることは，当業者が容易になし得たことである。
　
イ　本願補正発明の効果について
　
　本願補正発明の効果は，本願補正明細書の段落【００２３】【００２４】の記載より，以下の（ア）ないし（エ）といえる。
（ア）胃の癌の発症の危険性を低下させる。
（イ）アルコールの大量摂取者，喫煙者およびアルデヒドデヒドロゲナーゼ−２(ＡＬＤＨ２)酵素の家族性低活性変異体またはＡＤＨ３＊１遺伝子／対立遺伝子(現在ＡＤＨｌＣ＊１)を有する者，および萎縮性胃炎を有する者に使用できる。
（ウ）適度な量のアルコールを摂取する者または小量のアルコールもしくはアセトアルデヒドを含む食品を摂取する者にも有益である。
（エ）本願補正発明の消費者に向けた食品製品への添加により，アセトアルデヒド結合性化合物は，日常生活まで広がり，そしてその一部を形成する。
　
　そこで，上記（ア）ないし（エ）の効果につき，以下検討する。
　
（ア），（イ）のうち，アルコールの大量摂取者，喫煙者およびアルデヒドデヒドロゲナーゼ−２(ＡＬＤＨ２)酵素の家族性低活性変異体を有する者に引用発明を使用できること，及び，（ウ）の効果については，全く同じ効果が，刊行物１の段落【００１８】（１ｄ）に記載されている。
　
（イ）のうち使用できる対象者としてＡＤＨ３＊１遺伝子／対立遺伝子を有する者に使用できる効果について，ＡＤＨ３とは，ヒトのアルコール脱水素酵素（ＡＤＨ）の異性体の一つであり，その中でＡＤＨ３＊１遺伝子を有する者とは，アルコール代謝速度の速いＡＤＨ３−１アリルのホモ接合体（ＡＤＨ３＊１／３＊１）を有する者であるということは，以下に示す刊行物Ｄより理解されるように，本願優先日前からの周知事項であり，アルコール代謝速度の速い酵素を有する者であれば，アルコールを代謝してアセトアルデヒドを急速に生成し易いことも，予測し得ることといえる。
　そうすると，引用発明を，ＡＤＨ３＊１遺伝子／対立遺伝子を有する者に有効である，すなわち使用できることも，当業者が予測し得たことである。
　
（イ）のうち使用できる対象者として萎縮性胃炎を有する者に使用できる効果について，萎縮性胃炎等胃炎の原因菌はヘリコバクター・ピロリいわゆるピロリ菌で，人間がアルコールを摂取し胃内に過剰のエタノールが存在すると，エタノールはピロリ菌に取り込まれ，菌体内でアセトアルデヒドからエタノールを生成する反応を触媒する酵素によってエタノールからアセトアルデヒドへの逆反応が触媒され，生成されたアセトアルデヒドが菌体外に放出され，これが胃粘膜障害の一因となることは，以下に示す刊行物Ｅより明らかなように，本願優先日前からの周知事項であり，萎縮性胃炎を有する者は，アルコールを摂取し胃内に過剰のエタノールを存在させると，上記酵素により逆反応が触媒されアセトアルデヒドを生成し易いことも，予測し得ることといえる。
　そうすると，引用発明を，萎縮性胃炎を有する者に有効である，すなわち使用できることも，当業者が予測し得たことである。
　
（エ）の効果については，上記ア（イ）で述べたように，引用発明において，アセトアルデヒド結合物質を含む組成物として，医薬組成物に代えて食品組成物としたものは，食品組成物であるから，消費者に向けた食品製品へ添加され，そうすればアセトアルデヒド結合性化合物は日常生活まで広がりその一部を形成することは，当業者が容易に予測し得たことである。
　
　したがって，本願補正発明の効果については，刊行物１，２の記載事項及び本願優先日前の周知技術から予測される範囲内のものであり，格別顕著なものではない。
　
　刊行物Ｄ：特開２００３−２１５１２３号公報
「【００１４】
ヒトのアルコール脱水素酵素（ＡＤＨ）にはＡＤＨ１，ＡＤＨ２およびＡＤＨ３の３つの異性体が存在する
中でもＡＤＨ３には，アルコール代謝速度の速いＡＤＨ３−１アリルのホモ接合体（ＡＤＨ３＊１／３＊１）
が存在する
（A.F.Olshan, M.C.Weissler, M.A.Watson and D.A.Bell; Carcinogenesis vol.22 no.1 pp.57-61, 2001）
　
　刊行物Ｅ：特開平９−１７３０１４号公報
「【０００２】
【従来の技術】
ヘリコバクター・ピロリ（Ｈｅｌｉｃｏｂａｃｔｅｒ　ｐｙｌｏｒｉ，以下「ピロリ菌」又は「Ｈ．ｐｙｌｏｒｉ」と記載する）は，
胃炎・消化性潰瘍などの上部消化器疾患の重要な因子の一つであることが，すでに世界的に認知されつつある
「【０００８】・・・
Ｈ．ｐｙｌｏｒｉのアルコールデヒドロゲナーゼは，本菌が炭素源を代謝し，その最終産物としてアセトアルデヒドからエタノールを生成する反応を触媒する酵素であるが，一方，人間がエタノールを含有する飲料（即ち酒類）を摂取し，胃内に過剰のエタノールが存在すると，該エタノールがＨ．ｐｙｌｏｒｉに取り込まれ，菌体内で，本酵素によってエタノールからアセトアルデヒドへの逆反応が触媒され，生成されたアセトアルデヒドが菌体外に放出される
　【０００９】
これが胃粘膜障害の一因となることから，ピロリ菌の病原因子の一つとして考えられている
　
（２−６）独立特許要件のまとめ
　
　したがって，本願補正発明は，その優先日前に頒布された刊行物１，２に記載された発明及び本願優先日前の周知事項に基いて当業者が容易に発明をすることができたものであるから，特許法第２９条第２項の規定により特許を受けることができない。
　
　よって，本願補正発明は特許出願の際独立して特許を受けることができるものではないから，請求項１についての補正は，平成１８年改正前特許法第１７条の２第５項において準用する同法第１２６条第５項の規定に適合しない。
　
３　補正の却下の決定のむすび
　
　以上のとおり，請求項１についての補正は，平成１８年改正前特許法第１２６条第５項の規定に適合しないから，本件補正は，その余の点を検討するまでもなく，同法第１５９条第１項の規定において読み替えて準用する同法第５３条第１項の規定により却下すべきものである。
　
第３　本願発明について
　
１　本願発明
　
　平成２３年７月１日付けの手続補正は，上記のとおり却下されることとなったので，この出願の請求項１ないし２５に係る発明は，平成２２年１１月１１日付けの手続補正により補正された明細書の記載からみて，特許請求の範囲の請求項１ないし２５に記載された事項により特定されるとおりのものと認められ，その請求項１に係る発明（以下，「本願発明」という。）は，次のとおりのものである。
　
「少なくとも１種のアセトアルデヒド結合性化合物が添加されており，該アセトアルデヒド結合性化合物が１個以上の遊離スルフヒドリルおよびアミノ基を含み，そしてＬ−システイン，Ｄ−システイン，システイン酸，システイン　グリシン，トレオ−またはエリトロ−β−フェニル−ＤＬ−システイン，β−テトラメチレン−ＤＬ−システイン，メチオニン，Ｌ−アスコルビン酸，Ｄ−ペニシラミンおよびＮ末端を有するそのジペプチド，セミカルバジド，還元グルタチオン，β−メルカプトエチルアミン，Ｄ,Ｌ−ホモシステイン，Ｎ−アセチルシステイン，Ｌ−システイニル−Ｌ−バリン，β−β−テトラメチレン−ＤＬ−システイン，システイニル−グリシン，メルカプトエチルグリシン，ｔｒｅ−(５)−β−フェニル−ＤＬ−システイン，エリトロ−β−フェニルＤＬ−システイン，塩酸システイン，塩酸チアミン，またはこれらの化合物のいずれかの塩，またはシステインの誘導体もしくは塩から成る群から選択されることを特徴とする，食品組成物；ただし，当該食品組成物はチョコレート，茶，ココアおよびコーヒーから選択される芳香成分含有組成物ではない。」
　
２　原査定の拒絶の理由の概要 
　
　本願発明についての原査定の拒絶の理由の概要は，本願発明は，その出願前日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない，というものである。
　　　　　　　　　　　　　　　記　
　特表２００４−５１２３５３号公報（「第２　２（２）（２−２）ア」に示した刊行物１と同じ。）
　特表２００４−５１９５５０号公報（「第２　２（２）（２−２）ア」に示した刊行物２と同じ。）
　以下，この刊行物を「刊行物１」，「刊行物２」と続けて用いる。
　
３　刊行物の記載事項
　
　前記「第２ ２（２）（２−２）イ」に記載したとおりである。
　
４　刊行物１に記載された発明
　
　前記「第２ ２（２）（２−３）」に記載したとおりである。
　
５　対比・判断
　
　本願発明は，上記「第２ ２（２）（２−４），（２−５）」で検討した本願補正発明における，「少なくとも１種のアセトアルデヒド結合性化合物が添加され」る形式を，「持続された態様で該化合物が胃内に放出されることを可能にする形で」も含まれる何ら限定のないものとし，「システインの塩」を，それを含む「システインの誘導体もしくは塩」とし，「食品組成物」の用途を，「癌発症の危険性を減少させるための」ものも含まれる何ら限定のないものとすると共に，「アセトアルデヒド結合性化合物」の用途につき，「かかるアルデヒド結合性化合物は芳香改良剤ではない」も含まれる何ら限定のないものとする発明であるから，本願補正発明を包含する発明である。
　そうすると，本願発明の発明特定事項を全て含み，さらに他の発明特定事項を減縮したものに相当する本願補正発明が，前記「第２ ２（２）（２−４），（２−５）」に記載したとおり，この優先日前に頒布された刊行物１，２に記載された発明及び周知事項に基いて当業者が容易に発明をすることができたものであるから，本願発明も，同様の理由により，この優先日前に頒布された刊行物１，２に記載された発明及び周知事項に基いて当業者が容易に発明をすることができたものであり，特許法第２９条第２項の規定により特許を受けることができない。
　
第４　むすび 
　
　以上のとおり，本願発明は特許法第２９条第２項の規定により特許を受けることができないものであるから，その余について言及するまでもなく，この出願は，拒絶すべきものである。
　
　よって，結論のとおり審決する。